(57)【要約】【課題】  湯や水を注ぐだけで飲料製造でき、飲用に供することのできるカップ容器を少ない材料により簡単に作成する。【解決手段】  同じ角度の傾斜面を有した円錐形状の大小カップ容器の、大カップ容器内に飲料原料を入れ、細孔形成底面部を有した小カップ容器を大カップ容器内に嵌めこみ飲用カップ容器を製造する。【選択図】  図２
2006248610.tif 000002
【特許請求の範囲】
【請求項１】
飲料原料を抽出または溶解するためのカップ状容器であって、高さの異なる大小二つの容器によって構成し、小容器底面部には多数の細孔が形成されており、大容器の内側周壁面に小容器外側周壁面が密着するように、小容器を大容器内に嵌め込み収納した飲用容器。
【請求項２】
脱着可能な手提げホルダーを具備していることを特徴とする請求項１記載の飲用容器。
【請求項３】
大容器内に小容器を嵌め込む前にあらかじめ抽出または溶解する飲料原料を収納しておくことを特徴とする請求項１記載の飲用容器。
【発明の詳細な説明】
【技術分野】
【０００１】  本発明は手軽に飲料原材料を抽出または溶解して飲用に供することができるカップ状容器に関するものである。
【背景技術】
【０００２】  嗜好飲料は各種日常的に飲まれており、お茶や紅茶の場合、急須、ティーポットあるいは茶漉し具に茶葉を入れ、そこに湯を注いで抽出したお茶や紅茶を湯呑みやティーカップ等に入れて飲んだり、市販のペットボトル入りまたは缶入りのお茶や紅茶等を購入して飲むのが一般的である。
【発明の開示】
【発明が解決しようとする課題】
【０００３】  屋外にあっては、茶器等を用意することが困難、あるいは面倒であり、また市販の缶入りまたはペットボトル入りタイプのものは工場で飲料を製造して詰めて販売するためどうしても風味が損なわれてしまい、淹れたてのお茶から立ちのぼる香りにより気分を寛がせるということは期待できない。
【課題を解決するための手段】
【０００４】  底面部に多数の細孔を形成しフィルター機能を持たせた小容器を大容器に嵌め込む二重カップ容器構造とし、大小容器により形成される内部空間に飲料原料を収納して、急須、ティーポットを用意することなく、カップ容器に湯を注ぐだけで、淹れたての香りや風味が楽しめ、寛いだ雰囲気や気分を味わうことができるようにした一体型カップ状容器を提供することにより解決を図るものである。【０００５】  従来例との比較：
カップ状容器に湯を注いで容器を食器として使用するものは従来からカップ麺のように商品化されていた。カップ麺の場合は熱湯を注がれた具材は食べてしまうため、単に具材を容器に収納しておくだけでその目的を達することができた。しかし、お茶の場合は抽出後の茶葉が邪魔になるので登録実用新案第３０９１８９９号（従来例その１：図７）のように、コップ内に仕切り部材により収納した、飲料成分含有物充填袋状フィルタ部材を濾過手段としていた。
あるいは実開昭６３−５７２６９（従来例その２：図８）のようにフィルター状カップ中底部を形成し、底面部との間に作られる空間部分に飲料原料を入れたりしていた。【０００６】  従来のカップ容器では、飲料を飲むときに邪魔となる抽出済みのティーバッグ等の飲料原料を底面部から口部に浮き上がらないようにするために仕切り部材を設けている。
ティーバッグ等を使用しない場合には、その仕切り部材にフィルター機能を持たせている。
しかしこのような構造の容器を作成する場合には、中間仕切り部材をカップ内周面に固定しなければならず、その固定構造が極めて厄介であった。【０００７】  実用新案登録第２５７８５３４号の紙コップ式飲料抽出機には底面部に細孔を形成したコップ状フィルターが開示されているが（本明細書において図示しない）、これは自動液体飲料抽出販売機におけるフィルターをコップ状にして、その上部に密閉蓋を設け、エア圧入できる構造としたもので、フィルターとしての役割しかなさず、そのもの自体で飲用カップとなり得るものではない。【０００８】  本発明は図１の外側大カップ容器１の正面図として表れる外観形状を有し、図２に示す断面図から分かるように、大小カップ容器による二重構造とし、内側小カップ容器２の底面部３に多数の細孔を設けてフィルター機能をもたせたものである。図３は内側小カップ容器２の正面図で、図４はその下方からの斜視図である。
図２の断面図によって示されるように、内側の小カップ容器２を大カップ容器１に嵌め込んだ際に、大小それぞれの高さの違いによってできる空間部４に飲料原料５を収納する。
【発明の効果】
【０００９】  本発明は大小のカップ容器を嵌め込むだけの構成により、中間仕切り部材を固定する厄介さを回避することができるものである。
最も重要なことは、本発明の飲用カップ容器はその製作が極めて容易なことであり、大カップ容器１に飲料原料５を入れて、次に細孔形成底面部３を有した小カップ容器２を嵌めこむだけで製品として完成する点である。【００１０】  カップ容器自体の製造は技術的に成熟域に達しており、極めて安いコストで調達できる。そのカップ容器に飲料原料を入れて大小組み合わせるだけであるので、製造を自動化する装置も極めて簡略な構造で済み、人手による製造であっても至って簡単に行なうことができる。
【発明を実施するための最良の形態】
【００１１】  大カップ容器１と小カップ容器２の外周壁は同じ角度の傾斜面を有する円錐形状にする必要がある。
大カップ容器１と小カップ容器２との固定方法は、大カップ容器の内周壁面にあらかじめ無害な接着剤を塗布しておいてもよい。【００１２】  また、小カップ容器２を大カップ容器１に嵌め込み挿入するときに、一定空間部４を形成するところで小カップ容器２の外周面と大カップ容器１の内周面とが密着して摩擦効果により固定されるようにしても良い。【００１３】  空間部４には緑茶、紅茶等の茶葉を、ティーバッグ等に収納してから入れる必要はなく、そのままバラの状態で抽出に適した所要量を入れれば良い。
空間部４には、茶葉のほか、レギュラーコーヒー、漢方薬原料やフリーズドライ製法により製造された粉末原料を１カップ分に固形形状にしたものを飲料原料として収納することができる。【００１４】  粉末原料を固形化することにより容易に１カップ分の分量とすることができると同時に取り扱い容易となるので、その対象は粉末スープ、粉末ジュース、粉末インスタントコーヒー、ココアなど飲用に供することのできるもの広範囲にわたる。【００１５】  飲料原料５を収納したカップ容器は、そのまま店頭で販売することができる。
さらに、自動販売機による販売も可能である。この場合、自動販売機には給湯装置や給水装置を具備しておけば、購入者はその場で飲料を作ることもできる。【００１６】  自動販売機においては、本発明のカップ容器は入れ子式に積層収納できるので、販売機内のスペースを有効に活用することができる。また、カップ容器内に飲料原料が収納された状態で販売されるので、茶葉等の原料を交換補充する必要がなく管理が楽である。【００１７】  本発明のカップ容器には、その飲料原料によっては熱湯を注ぐこともある。その場合、図６に示すようにカップ容器を手で直接持たないで済む手提げホルダー７を付属させておくと便利である。【００１８】  図５はカップ容器から外した状態の手提げホルダー６である。提げ手部７を付設したホルダーリング部８はカップ容器上端部の径より若干小径に形成して、ホルダーリング部８内にカップ容器１を入れたときに上端部で止まる構造としている。【００１９】  カップ容器を複数購入してその場で飲料を作った場合の持ち運びにも手提げホルダー６が備えてあれば一度に複数個を持つことができるので都合が良い。【００２０】  この手提げホルダー６はカップ容器製造段階で嵌着しておいても良いし、あるいは、販売時・購入時に必要に応じて装着活用できるようにしても良い。
【実施例１】
【００２１】  同じ角度の傾斜面を有した円錐形状の大小カップ容器の、大カップ容器１の底部に茶葉５を入れ、細孔形成底面部３を有した小カップ容器２を大カップ容器１内に嵌めこみ飲用カップ容器を製造する。
カップ容器内に湯を注ぐことにより飲用に供する。
【図面の簡単な説明】
【００２２】
【図１】本発明の大カップ容器の正面図である。
【図２】本発明のカップ容器に飲料原料を収納した状態の正面断面図である。
【図３】本発明の小カップ容器の正面図である。
【図４】本発明の小カップ容器に設けた細孔形成底面部を示す下方からの斜視図である。
【図５】本発明のカップ容器用手提げホルダーである。
【図６】本発明のカップ容器に手提げホルダーを装着した図である
【図７】従来例その１を示す図である。
【図８】従来例その２を示す図である。
【符号の説明】
【００２３】  １  大カップ容器
２  小カップ容器
３  細孔形成底面部
４  空間部
５  飲料原料
６  手提げホルダー
７  提げ手部
８  ホルダーリング部
【図１】
2006248610.tif 000003
【図２】
2006248610.tif 000004
【図３】
2006248610.tif 000005
【図４】
2006248610.tif 000006
【図５】
2006248610.tif 000007
【図６】
2006248610.tif 000008
【図７】
2006248610.tif 000009
【図８】
2006248610.tif 000010